(57)【要約】【課題】直接清水や水道水等で簡単に水洗し、描画用パネルの顔料を数秒以内に楽に取り除き、自然乾燥後重複使用ができる、水洗可能な描画用パネルの提供。【解決手段】本考案の水洗可能な描画用パネルは被覆層及び充填物から構成され、そのうち、前記被覆層の表面は図案の線と描画可能な空間を備え、前記充填物はパネル内部に充填され、且つ、前記充填物は防水性を備え且つ吸水性のない材質から成り、そのうち、前記被覆層が水洗可能な防水材質から成り、前記描画用パネルに絵を描いた後、前記被覆層が水洗可能な防水材質であるため、一般的な清水や水道水で水洗いし、描画の顔料を数秒以内に楽に取り除くことができ、重複使用が可能で、環境にやさしく安全である。【選択図】図２
0003129151.tif 000002
【実用新案登録請求の範囲】
【請求項１】
水洗可能な描画用パネルであって、被覆層及び充填物から構成され、そのうち、前記被覆層の表面は図案の線と描画可能な空間を備え、前記充填物はパネル内部に充填され、且つ、前記充填物は防水性を備え且つ吸水性のない材質から成り、そのうち、前記被覆層が水洗可能な防水材質から成り、前記描画用パネルに絵を描いた後、前記被覆層が水洗可能な防水材質であるため、一般的な清水や水道水で水洗いし、描画の顔料を数秒以内に楽に取り除くことができ、重複使用が可能で環境にやさしく安全である、水洗可能な描画用パネル。        
【請求項２】
前記被覆層がさらにポンジ布等の水洗可能な防水材質から成る、請求項１に記載の水洗可能な描画用パネル。
【請求項３】
前記描画用パネルに描画するとき、さらに拓本方式を用いることができ、拓本板と拓本顔料ケースを組み合わせて使用し、使用者に拓本の暈し染め、色重ね及び異なる筆のタッチの色彩技巧を学習させることができる、請求項１に記載の水洗可能な描画用パネル。   
【請求項４】
前記描画用パネルに描画するとき、さらにクレヨンや関連の色付け機能を備えた絵筆を用いることができる、請求項１に記載の水洗可能な描画用パネル。
【請求項５】
前記描画用パネルに描画するときの顔料をさらにパレットを用いて色の配合を行い使用することができる、請求項１に記載の水洗可能な描画用パネル。    
【請求項６】
前記描画用パネルがさらに、片面描画用パネル、両面描画用パネル及び立体描画用パネルとして設けることができる、請求項１に記載の水洗可能な描画用パネル。
【考案の詳細な説明】
【技術分野】
【０００１】
本考案は水洗可能な描画用パネルに関し、描画用パネルに被覆層及び充填物を設け、且つ、前記被覆層は水洗可能な防水材質とし、また前記充填物は防水性を備え且つ吸水性のない材質とし、描画するとき、被覆層が水洗可能な防水材質であることにより一般的な清水または水道水を使い簡単に水洗方式で描かれた顔料を数秒以内に楽に取り除くことができ、いかなる洗浄剤も使用する必要なく、重複使用が可能で、環境にやさしく安全性を備えた、水洗可能な描画用パネルに関する。
【背景技術】
【０００２】
一般的な従来の描画用パネルＡは、図１に示すように、紙Ａ１及び絵筆Ａ２から構成されるが、紙Ａ１はその上に色をのせる機能しかなく、一般的な清水や水道水で簡単に水洗いし、顔料を数秒内に楽に取り除き、重複使用するという機能は備えておらず、使用者の購買コストが増加するという問題がある。
【０００３】
このため、いかに上述の問題を排除するかが、本考案の解決する技術的問題点である。
【考案の開示】
【考案が解決しようとする課題】
【０００４】
本考案の目的は、直接清水や水道水等で簡単に水洗し、描画用パネルの顔料を数秒以内に楽に取り除き、自然乾燥後重複使用ができる、水洗可能な描画用パネルを提供することにある。    
【課題を解決するための手段】
【０００５】
以下、本考案について図面及び実施例に基づき、詳細に説明する。本考案の水洗可能な描画用パネルは、図２及び図３に示すように、描画用パネルＢが被覆層Ｂ１と防水性を備え且つ吸水性のない充填物Ｂ２から構成される。
【０００６】
そのうち、被覆層Ｂ１の表面は印刷された図案の線と絵を描くための空間を備え、且つ、この被覆層Ｂ１は水洗可能な防水材質から成るものとする。
【０００７】
そのうち、防水性を備え且つ吸水性のない充填物Ｂ２は描画用パネルＢの内部に充填され、描画用パネルＢに立体的効果を与え、色彩を楽に洗い流すことができ、且つ、使用者が直接色をのせるのに便利であり、また描画用パネルの輪郭を引き立たせることができる。
【０００８】
描画用パネルＢを描くとき、被覆層Ｂ１が水洗可能な防水材質であることにより、水柱Ｈを利用して直接清水や水道水等で簡単に水洗し、絵の顔料Ｄを数秒内に楽に取り除くことができ、重複使用を可能にし、且つ環境にやさしく、教育的で親子で楽しめると共に、使用者がＤＩＹの楽しみを体感しながら描画用パネル能力と色彩認識を学習するという目的を達することができる。
【考案の効果】
【０００９】
本考案の進歩性と実用性をよりはっきりと示すため、以下、従来品と比較して分析する。
《従来品の欠点》
一、            
描画用パネルには色をのせる機能しかない。
二、            
一般的な清水や水道水で簡単に水洗し、顔料を数秒以内に楽に取り除く機能はない。
三、            
重複使用できない。
四、            
使用者の購買コストが増加する恐れがある。
《本考案の利点》
一、    描画用パネルの被覆層が水洗可能な防水材質である。
二、    水柱を利用して直接清水や水道水等で簡単に水洗し、描画用パネルの顔料を数秒以内に楽に取り除き、自然乾燥後重複使用ができる。
三、    第二点を受け、環境にやさしく、安全である。
四、    描画用パネルはさらに片面描画用パネル、両面描画用パネル及び立体描画用パネルとすることができる。
五、    第四点を受け、描画機能の多重性、変化性、教育性を向上し、色彩描画の技巧の学習を増進することができる。
六、    教育的意義、楽しみ、プラス効果に富んでいる。
七、    使用寿命が長い。
八、    進歩性と実用性を備えている。
九、    産業的競争力を向上できる。        
【考案を実施するための最良の形態】
【００１０】
本考案の水洗可能な描画用パネルは、図４から図１１に示すように、描画用パネルＢが被覆層Ｂ１及び充填物Ｂ２から構成される。
【００１１】
そのうち、被覆層Ｂの表面は印刷された図案線と絵を描く空間を備え、且つ、この被覆層Ｂ１は水洗可能な防水材質から成り、この水洗可能な防水材質はポンジ布等関連材質とすることができる。
【００１２】
そのうち、充填物Ｂ２は描画用パネルＢの内部に充填され、描画用パネルＢをより立体的にする効果があり、且つ、色彩を簡単に水洗でき、また使用者が直接色をのせるのに便利であると共に、描画用パネルの輪廓を引き立たせることができる。
【００１３】
描画用パネルＢに絵を描くとき、絵筆Ｂ３で直接描画用パネルＢの被覆層Ｂ１に描くことができ、または絵筆Ｃに顔料Ｄを付け、描画用パネルＢの被覆層Ｂ１に絵を描いてもよく、さらに拓本の方法を用い、絵筆Ｃで拓本顔料ケースＥから顔料Ｄを付け、拓本板Ｆを利用し、拓本板Ｆの透かし図案の型孔Ｆ１を使って描画用パネルＢの表面に拓本図画を描くことができ、また顔料ＤはさらにパレットＧを利用し色を配合して使用することができる。
【００１４】
描画用パネルＢの絵が完成した後、被覆層Ｂ１が水洗可能な防水材質であるため、水柱Ｈを利用して直接清水や水道水で簡単に水洗し、描いた絵の顔料Ｄを数秒以内に楽に取り除くことができ、且ついかなる洗浄剤も必要とせず重複使用を可能にし、且つ環境にやさしく、教育的で親子で楽しめると共に、使用者がＤＩＹの楽しみを体感しながら描画用パネル能力と色彩認識を学習するという目的を達することができる。
【００１５】
図１２から図１４に示すように、描画用パネルＢはさらに片面描画用パネルＩ、両面描画用パネルＪ及び立体描画用パネルＫとすることもでき、描画機能の多重性、変化性と教育性を向上すると共に、色彩画の技巧を学習することができる。
【００１６】
以上で述べた説明は本考案の最良の実施例に基づくものであり、本考案の特許範囲を制限するものではなく、本考案の明細書及び図面の内容を運用した同等効果を得る構造を直接または間接的にその他関連技術領域に応用したものはすべて、本考案の要旨の範囲内に含まれるものとみなす。
【００１７】
上述のように、本考案は従来技術を打破する構造の下、確実に目的とする効果を得ることができ、且つ、関連技術に精通した者が容易に思い付くものではなく、さらに、本考案はその出願前に公開されたことがなく、その進歩性、実用性は実用新案登録の出願要件を満たしているため、法に基づきここに実用新案登録を出願するものである。
【図面の簡単な説明】
【００１８】
【図１】従来品の立体図である。
【図２】本考案の立体図である。
【図３】本考案の立体分解図である。
【図４】本考案の実施例図の１である。
【図５】本考案の実施例図の２である。
【図６】本考案の実施例図の３である。
【図７】本考案の実施例図の４である。
【図８】本考案の実施例図の５である。
【図９】本考案の実施例図の６である。
【図１０】本考案の実施例図の７である。
【図１１】本考案の実施例図の８である。
【図１２】本考案の実施例図の９である。
【図１３】本考案の実施例図の１０である。
【図１４】本考案の実施例図の１１である。
【符号の説明】
【００１９】
Ａ        描画用パネル
Ａ１      紙
Ａ２      絵筆
Ｂ        描画用パネル
Ｂ１      被覆層
Ｂ２      充填物
Ｂ３、Ｃ    絵筆
Ｄ        顔料
Ｅ        拓本顔料ケース
Ｆ        拓本板
Ｆ１      型孔
Ｇ        パレット
Ｈ        水柱
Ｉ        片面描画用パネル
Ｊ        両面描画用パネル
Ｋ        立体描画用パネル
【図１】
0003129151.tif 000003
【図２】
0003129151.tif 000004
【図３】
0003129151.tif 000005
【図４】
0003129151.tif 000006
【図５】
0003129151.tif 000007
【図６】
0003129151.tif 000008
【図７】
0003129151.tif 000009
【図８】
0003129151.tif 000010
【図９】
0003129151.tif 000011
【図１０】
0003129151.tif 000012
【図１１】
0003129151.tif 000013
【図１２】
0003129151.tif 000014
【図１３】
0003129151.tif 000015
【図１４】
0003129151.tif 000016